(57)【特許請求の範囲】
【請求項１】
コアをクラッドで取り囲んで構成される光ファイバ、及び前記クラッドの外面に被覆されたパラジウムを含む樹脂被覆層を有する水素センサと、信号処理装置とを備え、
前記信号処理装置が、前記水素センサの前記コアに或る波長の光を入射する光源と、前記パラジウムの水素吸蔵により前記クラッドに生じる歪みによって前記光ファイバで発生するブリルアン散乱光を入力し、前記ブリルアン散乱光の波長の、前記コアに入射する前記或る波長の光の波長からのシフト量、および前記ブリルアン散乱光の周波数の、前記コアに入射する前記或る波長の光の周波数からのシフト量のいずれかのシフト量を求める第１計測部と、前記第１計測部で求められた前記シフト量を水素濃度に変換する水素濃度変換器とを備えていることを特徴とする水素濃度計測装置。
【請求項２】
前記樹脂被覆層に含まれるパラジウムの粒径が２０ｎｍ〜１μｍの範囲内に存在する請求項１に記載の水素濃度計測装置。
【請求項３】
前記樹脂被覆層は、前記パラジウム以外に、銀、ニッケルおよびクロムの内の少なくとも１種類の金属を含んでいる請求項１または２に記載の水素濃度計測装置。
【請求項４】
前記パラジウムは、銀、ニッケルおよびクロムの内の少なくとも１種類の金属との合金として前記樹脂被覆層に含まれている請求項１または２に記載の水素濃度計測装置。
【請求項５】
前記樹脂被覆層の外面に被覆されたフッ素層を有する請求項１ないし４のいずれか１項に記載の水素濃度計測装置。
【請求項６】
前記フッ素層はフッ素を含む樹脂層である請求項５に記載の水素濃度計測装置。
【請求項７】
前記フッ素層は前記樹脂被覆層の外面に被覆されたフッ素単体の被覆層である請求項５に記載の水素濃度計測装置。
【請求項８】
前記信号処理装置が、前記光源から前記或る波長の光を出力した時点から前記ブリルアン散乱光を入力するまでの時間に基づいて水素検出位置をさらに求める前記第１計測部を備えている請求項１ないし７のいずれか１項に記載の水素濃度計測装置。
【請求項９】
前記信号処理装置が、前記光ファイバから戻ってくる光に含まれるラマン散乱光に基づいて前記水素センサの温度を計測する第２計測部を有しており、
前記水素濃度変換器が、前記シフト量に基づいて求めた前記水素濃度を前記第２計測部で計測した温度に基づいて補正する水素濃度変換装置である請求項１ないし８のいずれか１項に記載の水素濃度計測装置。
【発明の詳細な説明】
【技術分野】
【０００１】
本発明は、水素濃度計測装置に係り、特に、原子力プラントに適用するのに好適な水素濃度計測装置に関する。
【背景技術】
【０００２】
原子力プラントの建屋内の水素を計測する水素センサとしては、建屋内の広範囲なエリアで水素を計測する必要があるために、光ファイバを利用した水素センサの使用が考えられる。例えば、特開２００４−２７１５２５号公報には、ファイバコアにブラッグ格子を形成したいわゆるファイバブラッグ格子（Fiber Bragg Grating）部（ＦＢＧ部という）の外面を、水素吸蔵材であるパラジウムの層で取り囲んでいる水素センサが開示されている。また、「光ファイバを用いた水素センサの開発動向」，岡崎ら，表面技術，Ｖｏｌ．５７，Ｎｏ．４，２００６には、光ファイバのクラッドの外面にパラジウムの薄膜を取り付けて構成されたマッハツェンダー型干渉計により水素を計測する方法が記載されている。
【先行技術文献】
【特許文献】
【０００３】
【特許文献１】特開２００４−２７１５２５号公報
【非特許文献】
【０００４】
【非特許文献１】「光ファイバを用いた水素センサの開発動向」，岡崎ら，表面技術，Ｖｏｌ．５７，Ｎｏ．４，２００６
【発明の概要】
【発明が解決しようとする課題】
【０００５】
特開２００４−２７１５２５号公報および「光ファイバを用いた水素センサの開発動向」，岡崎ら，表面技術，Ｖｏｌ．５７，Ｎｏ．４，２００６に記載された従来の光ファイバを用いた水素センサでは、光ファイバのＦＢＧ部あるいは光ファイバのクラッドの外面にパラジウムを取り付けているが、その外面へのパラジウムの取り付けには電着または蒸着などの処理方法で行う必要がある。しかしながら、電着または蒸着では、光ファイバの外面のごく一部にしかパラジウム層を形成することができない。広いエリア内で水素濃度を計測する場合には、その広いエリアをカバーできる長さの光ファイバの外面に、パラジウム層を形成する必要がある。このような長い光ファイバの外面への電着または蒸着によるパラジウム層の形成は、非常に手間が掛かるため実現が困難になるという問題が生じる。
【０００６】
また、水素吸蔵合金であるパラジウムが水素吸蔵作用によって体積変化を繰り返すことにより、パラジウムが光ファイバクラッドの外面から剥離して水素センシングの機能を損なう恐れがある。
【０００７】
本発明の目的は、光ファイバの外面へのパラジウムの取り付けが容易であり、かつ光ファイバからのパラジウムの剥離を防止することができる水素濃度計測装置を提供することにある。
【課題を解決するための手段】
【０００８】
上記した目的を達成する本発明の特徴は、コアをクラッドで取り囲んで構成される光ファイバと、そのクラッドの外面に被覆されたパラジウムを含む樹脂被覆層を有することにある。
【０００９】
パラジウムを含む樹脂被覆層を光ファイバのクラッドの外面に被覆しているので、パラジウムの光ファイバの外面への取り付けが容易であり、光ファイバからのパラジウムの剥離を防止することができる。
【発明の効果】
【００１０】
本発明によれば、光ファイバおよびパラジウムを有する水素センサにおいて、パラジウムの光ファイバの外面への取り付けが容易であり、光ファイバからのパラジウムの剥離を防止することができる。
【図面の簡単な説明】
【００１１】
【図１】本発明の好適な一実施例である実施例１の水素濃度計測装置に用いられる水素センサの構成図である。
【図２】本発明の好適な一実施例である実施例１の水素濃度計測装置の構成図である。
【図３】図１に示す水素センサの製造方法を示す説明図である。
【図４】原子炉建屋内での、図１に示す水素センサの配置状態を示す説明図である。
【図５】図２に示す水素濃度計測装置が接続される、プラント中央制御室に配置された運転監視システムの構成図である。
【図６】ブリルアン散乱光の説明図である。
【図７】図５に示す大画面可変情報表示装置に表示される水素濃度分布の表示例を示す説明図である。
【図８】本発明の他の実施例である実施例２の水素濃度計測装置の構成図である。
【図９】図８に示す水素センサの構成図である。
【図１０】図９に示す水素センサの製造方法を示す説明図である。
【図１１】本発明の他の実施例である実施例３の水素濃度計測装置の構成図である。
【図１２】本発明の他の実施例である実施例４の水素濃度計測装置の構成図である。
【図１３】図１２に示す水素センサの製造方法を示す説明図である。
【発明を実施するための形態】
【００１２】
本発明の実施例を以下に説明する。
【実施例１】
【００１３】
本発明の好適な一実施例である実施例１の水素濃度計測装置を、図１および図２を用いて説明する。本実施例の水素濃度計測装置は、沸騰水型原子力プラントに適用される。本実施例の水素濃度計測装置２１は、水素センサ６および信号処理装置７を備えている。
【００１４】
まず、水素濃度計測装置２１に用いられる水素センサ６を、図１を用いて具体的に説明する。水素センサ６は光ファイバを用いている。水素センサ６は、コア２の周囲を管状のクラッド３で取り囲んで構成される光ファイバ５、および水素吸蔵合金であるパラジウムの粒子を含んでいる樹脂被覆層１を有する。樹脂被覆層１は、光ファイバ５の外面、すなわち、クラッド３の外面に設けられ、光ファイバ５の外面を取り囲んで被覆している。樹脂被覆層１は、樹脂、例えば、ポリイミドまたはＵＶ硬化樹脂にパラジウムの粒子（またはペースト）を混合し、パラジウム粒子を混合したポリイミド（またはＵＶ硬化樹脂）をクラッド３の外面の周囲に取り付けて加熱（または紫外線照射）によりポリイミド（またはＵＶ硬化樹脂）を硬化させて形成される。
【００１５】
水素センサ６には光ファイバ５の外面を取り囲んで硬化された樹脂被覆層１が形成されているので、光ファイバを用いた水素センサ６が設置された環境に存在する水分が光ファイバ５に浸透することを阻止することができ、光ファイバ５のコア２およびクラッド３にクラックが生じて水素濃度が正しく計測できなくなる恐れを低減できる。
【００１６】
パラジウムは水素を吸蔵することにより体積が膨張する。水素の吸蔵により体積が膨張したパラジウムが光ファイバ５のクラッド３に歪みを与える。後述するが、この歪みによって光ファイバ５のコア２に発生するブリルアン散乱光を計測することにより、水素を検出することができる。
【００１７】
樹脂に混合するパラジウムの割合およびパラジウムが粒子の場合にはその粒径については用いる樹脂の様々な特性に依存するところが大きい。前述のように、樹脂被覆層１は水分の浸透を阻止する役割を担っているため、水分を遮断できるようにする必要がある。パラジウムを混合した樹脂を、クラッド３の外面にコーティングした場合には、パラジウム粒子と樹脂の間に隙間が生じる可能性があり、この隙間を伝って水分が浸透する恐れがある。パラジウムの粒径が大きく樹脂の量が少ない場合には、容易に水分が浸透して光ファイバ５が断線等の不具合を引き起こすことになる。このような状態になることを避けるために、例えば、パラジウムの粒径を１μｍ以下、パラジウムを含む樹脂被覆層１の厚さを４μｍ以上、および樹脂被覆層１におけるパラジウムの体積比率を２０％以下にする。パラジウムの粒子の粒径は、２０ｎｍ〜１μｍの範囲が好ましい。樹脂が伸縮性に富んでいる場合には、パラジウムの体積比率は５０％程度以下でもよい。樹脂被覆層１の厚みが１０μｍを超える場合には、パラジウムの体積比率を更に大きくすることも可能である。一方で、パラジウムの比率が少な過ぎると水素検知感度が低くなるため、パラジウムの体積比率は少なくとも５〜１０％以上が必要となる。
【００１８】
パラジウムは水素吸蔵に際して相転移を生じる。パラジウムは、α相の状態に比べてβ相の状態では、体積膨張が数倍〜数十倍以上変化する。α相になるかβ相になるかは概ね水素センサ６を配置する環境における水素濃度および温度に依存する。環境の水素濃度が、比較的低い場合、例えば１０％程度以下であれば、パラジウムはα相となる。水素センサ６を設置する環境が、パラジウムがβ相になる水素濃度が比較的高い環境である場合には、パラジウムの体積変化が大きいため、パラジウムの体積比率を上記割合よりも低下させて水素センサ６を製作することが望ましい。
【００１９】
水素は樹脂被覆層１の樹脂部分を比較的容易に透過するため、樹脂被覆層１内で周囲を完全に樹脂に覆われたパラジウム粒子であっても水素検知に寄与できる。
【００２０】
水素センサ６は、図３に示す水素センサ製造設備を用いて製造される。水素センサ６の製造について説明する。光ファイバ５となる光ファイバ母材８は、例えば石英母材であり、加熱炉９により溶融されて線引きされる。その後、パラジウム粒子を混入した、例えば、ポリイミドの樹脂ペースト（またはワニス）を、ダイス１０でダイスコートして線引きされた光ファイバ５の外面に被覆する。その後、パラジウム粒子を含むポリイミドの樹脂ペーストを被覆した光ファイバ５を、焼成炉１１で加熱し、被覆したその樹脂ペーストを硬化させる。焼成炉１１の代わりに紫外線照射装置を用いて、パラジウム粒子を含むポリイミドの替りに、光ファイバ５を被覆している、パラジウム粒子を含むＵＶ硬化樹脂に紫外線を照射してその樹脂ペーストを硬化させてもよい。巻取りドラム１７は、キャプスタン１６を利用して、製造された、光ファイバ５を用いた水素センサ６を巻き取る。
【００２１】
前述の水素センサ６が接続される信号処理装置７の詳細な構成を、図２を用いて説明する。信号処理装置７は、光源２４、駆動回路２５、光電変換器２７、サンプリング処理回路２９、波長シフト検出回路３０及び水素濃度変換器３１ａを備えている。光電変換器２７がフィルタ２６および増幅器２８に接続される。サンプリング処理回路２９が増幅器２８及び波長シフト検出回路３０に接続される。水素濃度変換器３１ａが波長シフト検出回路３０および表示器３２に接続される。水素濃度変換器３１ａはさらに大画面可変情報表示装置４２に接続される。駆動回路２５が光源２４及びサンプリング処理回路２９に接続される。信号処理装置７のコネクタ２２が水素センサ６に接続される。
【００２２】
沸騰水型原子力プラントには、複数の水素濃度計測装置２１が設けられている。これらの水素濃度計測装置２１の各水素センサ６は、沸騰水型原子力プラントの原子炉建屋３４内に設置される（図４参照）。炉心（図示せず）を内蔵する原子炉圧力容器３６が、原子炉格納容器３５内に設置される。原子炉格納容器３５が原子炉建屋３４内に据え付けられている。各水素濃度計測装置２１のそれぞれの信号処理装置７は、中央制御室３９に設置される。それぞれの信号処理装置７の各コネクタ２２に接続されたそれぞれの水素センサ６は、原子炉建屋３４内に配置される。
【００２３】
或る水素センサ６は、中央制御室３９から、原子炉建屋３４内の運転床３７より上方に存在する領域３８に配置される。また、他の水素センサ６は、中央制御室３９から、原子炉建屋３４内の領域を経て原子炉格納容器３５内の頂部に配置される。
【００２４】
運転監視システム５１が中央制御室３９内に設置される（図５参照）。この運転監視システム５１は、操作盤４３、大画面表示装置４１、大画面可変情報表示装置４０および４２、制御装置４８および４９、プロセス計算機５０および当直用専用コンソール４５を備えている。制御装置４８および４９、およびプロセス計算機５０は、データ伝送を行うネットワーク４７に接続される。大画面表示装置４１、大画面可変情報表示装置４０および４２、操作盤４３および当直用専用コンソール４５も、ネットワーク４７に接続されている。複数の水素濃度計測装置２１、具体的には、各水素濃度計測装置２１のそれぞれの信号処理装置７の水素濃度変換器３１ａが、ネットワーク４７に接続される。
【００２５】
当直長４６は運転員４４に対するスーパーバイザーである。大画面表示装置４１は、沸騰水型原子力プラントの系統、このプラントに係わる機器の状態、および主要パラメータ等が表示されており、沸騰水型原子力プラントの運転状態を容易に把握できるようになっている。
【００２６】
沸騰水型原子力プラントにおいて事故が発生してこのときに発生した水素が滞留する可能性が高いのは、原子炉格納容器３５内および原子炉建屋３４内である。原子炉圧力容器３６内の炉心に装荷された燃料集合体に含まれる燃料棒が破損し、燃料棒の被覆管の構成材に含まれるジルコニウムと水との反応により水素が発生する。この水素は、軽いために、原子炉格納容器３５内の頂部および原子炉建屋３４内の上層部の領域３８に溜るようになる。このようなプラント状態では、水素発生と共に、水蒸気、ヨウ素が発生する可能性が高い。しかも、高温下となる。このため、本実施例では、水素が滞留しやすい原子炉格納容器３５内の頂部および原子炉建屋３４内の領域３８にそれぞれ水素センサ６を設置している。
【００２７】
上記のような事象が発生したときにおける水素濃度計測装置２１を用いた水素の検出を、図１及び図２を用いて説明する。図４に示された各水素濃度計測装置２１における水素検出の原理は同じである。
【００２８】
信号処理装置７の駆動回路２５が、光源２４から特定波長の光を出力するための第１指令信号を光源２４に出力すると共に、サンプリング開始タイミングを指令するための第２指令信号をサンプリング処理回路２９に出力する。指令信号を入力した光源２４は、指令された特定波長の光を出力する。この光は、ミラー２３を通過し、コネクタ２２に接続されている水素センサ６の光ファイバ５のコア２内に入射される。
【００２９】
前述の事象で発生した水素は、水素センサ６の樹脂被覆層１に含まれるパラジウムに吸蔵される。パラジウムは水素を吸蔵することによって体積が膨張し、光ファイバ５のクラッド３に歪みを与える。クラッド３に生じた歪みにより、光ファイバ５のコア２内に入射された入射光に対してブリルアン散乱光が発生する（図６参照）。ブリルアン散乱光は入射光に対して波長（周波数と言う場合がある）がシフトしており、この波長シフト量（周波数シフト量と言う場合がある）が、前述のパラジウムの水素吸蔵によってクラッド３に生じる歪みに対応する。このブリルアン散乱光は、コア２内を伝送し、ミラー２３で反射されてフィルタ２６に導かれる。フィルタ２６は、入射した光のフィルタリングを行い、計測対象外の不要な光を除去する。フィルタ２６から出力された光は、光電変換器２７に伝えられて電気信号に変換される。変換された電気信号は、増幅器２８で増幅された後、サンプリング処理回路２９に入力される。
【００３０】
サンプリング処理回路２９は、前述の第２指令信号が入力された後、所定周期で入力信号をサンプリングし、光源２４から特定波長の光が出力された時点からブリルアン散乱光を入力するまでの経過時間を計測する。計測された経過時間は、換算演算処理を実施してどの位置で水素を検出したかを示す水素検出位置信号に変換される。水素検出位置信号は波長シフト検出回路３０を介して水素濃度変換器３１ａに出力される。サンプリング処理回路２９でサンプリングされた検出信号は波長シフト検出回路３０に入力される。波長シフト検出回路３は、入力した検出信号に基づいて波長シフト量（周波数シフト量ともいう）を計測する。具体的には、信号処理装置７に入力されたブリルアン散乱光の波長の、コア２に入射された入射光の特定波長のシフト量を計測する。計測された波長シフト量は波長シフト検出回路３０から水素濃度変換器３１ａに出力される。水素濃度変換器３１ａは換算演算処理を実施して波長シフト量に基づいて水素濃度を求める。波長シフト量から水素濃度への換算は、波長シフト量を水素濃度に変換する換算式、または波長シフト量と水素濃度を対応させたテーブル情報を用いて行われる。この換算式またはテーブル情報は、信号処理装置７のメモリ（図示せず）に予め記憶されている。水素濃度変換器３１ａは求めた水素濃度を水素濃度信号として出力する。水素濃度変換器３１ａは、入力した水素検出位置信号を水素濃度信号と共に、入力されており、これらを表示器３２と大画面可変情報表示装置４２に出力する。この結果、表示器３２および大画面可変情報表示装置４２は、計測点ごとの水素濃度、つまり計測エリアに対する水素濃度分布、および水素検出位置を表示することができる。例えば、図７に示す水素濃度分布情報が、大画面可変情報表示装置４２に表示される。
【００３１】
運転員４４または当直長４６の操作により、前述したように、大画面可変表示装置４２に水素濃度計測装置２１で計測した水素濃度が表示される。建屋構成図に関連づけて水素濃度を表示することで、運転員４４および当直長４６、あるいは保守員に対して視認性が高くなる。図７に示した表示画像では、水素濃度計測装置２１によって計測される水素濃度を計測するエリアに対応させて原子炉建屋３４および原子炉格納容器３５の建屋構成の画像情報および水素濃度分布の情報を併せて表示し、かつ両エリアにおける最大水素濃度を示している。このように表示することで、建屋内の水素濃度分布とその最大水素濃度が容易に分かり、安全処置判断をタイムリーに行うことが可能になる。
【００３２】
水素センサ６は、光ファイバ５を含んでおり、原子炉建屋内３４および原子炉格納容器３５内の広範囲に敷設することができ、その広範囲の領域で水素を容易に検出することができ、水素検出位置も容易に確認することができる。
【００３３】
操作盤４３、大画面表示装置４１、大画面可変情報表示装置４０および４２には、所内電源または外部電源から電流が供給される。これに対して、表示器３２を含む信号処理装置７には、所内電源または外部電源から電流が供給されるだけでなく、所内電源または外部電源、さらには非常用電源が喪失したときに、バッテリから電流が供給できるようになっている。信号処理装置７は、操作盤４３、大画面表示装置４１、大画面可変情報表示装置４０および４２に比べて消費電力が少なく、所内電源、外部電源および非常用電源が喪失したときに、バッテリから供給される電流により、機能することができる。このため、前述の事故発生後において所内電源、外部電源および非常用電源が喪失している場合であっても、水素センサ６で原子炉建屋３４および原子炉格納容器３５内の水素を検出することができ、信号処理装置７で得られた水素濃度及び水素検出位置等の情報を表示器３２に表示することができる。したがって、前述の事故発生後において所内電源、外部電源および非常用電源が喪失している場合であっても、オペレータは、原子炉建屋３４および原子炉格納容器３５内の水素濃度及び水素検出位置を把握することができる。
【００３４】
本実施例の水素濃度計測装置２１は光ファイバ５の外面を取り囲む、パラジウムを含む樹脂被覆層１を形成している。この樹脂被覆層１を形成するために必要となる樹脂の焼結温度は５００℃以上であるが、水素センサ６ではパラジウムを焼結させる必要が無く樹脂を硬化させる目的で加熱するため、その加熱温度は３００℃程度までとかなり低くすることができる。また、樹脂の硬化は、紫外線照射でも可能となり、水素センサ６の製造が容易になる。
【００３５】
前述したように、樹脂被覆層１に含まれるパラジウムは、水素吸蔵によって体積が膨張する。水素センサ６の樹脂被覆層１はパラジウムの粒子を樹脂で取り囲んでいるので、水素吸蔵によるパラジウムの体積膨張を弾性体である樹脂で吸収することができる。このため、水素吸蔵によりパラジウムの体積が膨張した場合でも、樹脂被覆層１が光ファイバ５から剥離することを防止することができる。すなわち、水素センサ６が配置された環境の水素濃度の高低に関わらず、水素濃度計測装置２１は水素検知機能を健全な状態に保つことができる。
【００３６】
水素センサ６は、クラッド３を取り囲む樹脂被覆層１に水素を吸蔵するパラジウムを含んでいるため、コア２内にブリルアン散乱光を発生させることができ、このブリルアン散乱光を信号処理するため、水素検出位置を容易に特定することができる。
【００３７】
水素センサ６において、光ファイバ５のクラッド３の外面を、パラジウムを含む樹脂被覆層１で被覆した場合には、樹脂被覆層１内のパラジウム粒子が光ファイバ５のクラッド３の外面と接触している場所が局所的には存在する可能性がある。この状態で、水素センサ６に外部から曲げおよび伸縮の力が加わった場合には、光ファイバ５のクラッド３が傷つき、光ファイバ５が破断に至る恐れがある。このため、光ファイバ５のクラッド３の外面を、パラジウムを含まない別の樹脂被覆層（図示せず）で予め覆って、この樹脂被覆層の外面を、パラジウムを含む樹脂被覆層１で覆っても良い。この場合、パラジウムを含まない樹脂被覆層の、光ファイバ５のクラッド３の外面へのコーティングの狙いは、樹脂被覆層１に含まれるパラジウム粒子が、直接、クラッド３に接触することを防止するためであるので、パラジウムを含まない樹脂被覆層の厚みは、例えば、１μｍ程度以上あればよい。このような構造によって、水素センサ６の光ファイバ５の耐久性を更に向上させることができる。
【００３８】
水素濃度計測装置２１の信号処理装置７が中央制御室３９に設置されるため、中央制御室３９で水素濃度を監視することができる。中央制御室３９で原子力発電所の運転状態、機器状態と共に水素濃度が監視可能になるために、運転員が原子力発電所の安全性を即座に理解することが可能となり、水素爆発防止のために窒素を充填したり、水素をパージしたりするための判断や操作が短時間で実行でき、そのような操作を実施した結果を即座に確認できるという効果がある。
【００３９】
樹脂被覆層１は、パラジウム単体の替りに、パラジウムと、銀、ニッケルおよびクロムのうちの少なくとも一種の金属との合金を含んでも良い。樹脂被覆層１に含まれるそのような合金は、高濃度水素下での不可逆的な物質特性変化を抑制することができる。パラジウム単体では高濃度水素下で不可逆的な物質特性変化が発生して水素を吸蔵し続け、水素センサ６が配置された領域において水素センサ６の周辺に水素がなくなっても、この状態を正しく検出することができなくなる。水素センサ６の樹脂被覆層１がパラジウムと、銀、ニッケルおよびクロムのうちの少なくとも一種の金属との合金を含むことによって、水素センサ６は、水素センサ６の周辺に水素がなくなってもこの状態を正確に検出することができる。また、パラジウムと、銀、ニッケルおよびクロムのうちの少なくとも一種の金属との合金ではなく、銀、ニッケルおよびクロムのうちの少なくとも一種の金属が、樹脂被覆層１において、パラジウムと混在していても、その合金が存在する場合と同様な効果を得ることができる。
【実施例２】
【００４０】
本発明の他の実施例である実施例２の水素濃度計測装置を、図８および図９を用いて説明する。
【００４１】
本実施例の水素濃度計測装置２１Ａは、実施例１の水素濃度計測装置２１において水素センサ６を水素センサ６Ａに替えた構成を有する。水素濃度計測装置２１Ａの他の構成は実施例１の水素濃度計測装置２１と同じである。すなわち、水素濃度計測装置２１Ａは水素濃度計測装置２１に用いられる信号処理装置７を有している。水素濃度計測装置２１Ａは、水素センサ６Ａを信号処理装置７のコネクタ２２に接続している。
【００４２】
水素センサ６Ａは、水素センサ６と同様に、コア２およびクラッド３を有する光ファイバ５、およびクラッド３の外面を被覆する樹脂被覆層１を有する。水素センサ６Ａは、樹脂被覆層１の外面を、フッ素を含む樹脂層４で被覆している。樹脂層４は樹脂被覆層１の外面全体を覆っている。樹脂層４は、例えば、ポリイミドまたはＵＶ硬化樹脂（紫外線硬化樹脂）にフッ素を混入したものである。
【００４３】
水素センサ６Ａは、図１０に示す水素センサ製造設備を用いて製造される。水素センサ６Ａの製造について説明する。光ファイバ母材（例えば、石英母材）８は加熱炉９により溶融されて線引きされ、パラジウム粒子を含むポリイミドの樹脂ペースト（またはワニス）を、ダイス１０でダイスコートして線引きされた光ファイバ５の外面に被覆する。その後、焼成炉１１で加熱により、光ファイバ５に被覆したパラジウム粒子を含むポリイミドの樹脂ペーストを硬化させる。パラジウム粒子を含むポリイミドの替りにパラジウム粒子を含むＵＶ硬化樹脂を光ファイバ５に被覆し、紫外線照射装置からの紫外線照射によりそのＵＶ硬化樹脂を硬化させてもよい。ここまでの工程は、実施例１で用いられる水素センサ６の製造工程と同じである。
【００４４】
水素センサ６Ａの製造においては、その後、パラジウム粒子を含むポリイミドペーストを硬化させて生成された樹脂被覆層１を有する光ファイバ５を、さらに、ダイス１２内を通して、フッ素を含むポリイミドのペーストを、樹脂被覆層１に被覆する。そして、
焼成炉１３内で、被覆したフッ素を含むポリイミドのペーストを硬化させる。この硬化により、樹脂被覆層１の表面を覆う樹脂層４が形成される。巻取りドラム１７は、キャプスタン１６を利用して、製造された、光ファイバ５を用いた水素センサ６Ａを巻き取る。ダイス１２において、フッ素を含むＵＶ硬化樹脂のペーストを樹脂被覆層１に被覆した場合には、焼成炉１３の替りに、紫外線照射装置を用いてフッ素を含むＵＶ硬化樹脂のペーストに紫外線を照射してこのＵＶ硬化樹脂を硬化させる。
【００４５】
水素濃度計測装置２１Ａの水素センサ６Ａは、実施例１の水素センサ６と同様に、原子炉建屋３４内の領域３８または原子炉格納容器３５の頂部に配置される。水素濃度計測装置２１Ａも、水素濃度計測装置２１と同様に、水素を検出することができ、水素濃度及び水素検出位置の各情報を提供することができる。
【００４６】
本実施例は、実施例１で生じる各効果を得ることができる。本実施例は、樹脂被覆層１を樹脂層４で被覆した水素センサ６Ａを用いているので、水素センサ６Ａが設置される領域に存在する水分が光ファイバ５まで浸透することを更に阻止することができる。このため、水素検出の精度をさらに向上させることができる。
【００４７】
樹脂被覆層１の表面を、フッ素を含む樹脂層４で覆っているので、本実施例は以下の効果を生じる。フッ素を含む樹脂層４、すなわち、フッ素ドープの被覆を、樹脂被覆層１の表面に形成することによって、水素センサ６Ａが配置されている環境に同じハロゲンのヨウ素が存在する場合、樹脂層４に侵入したそのヨウ素はフッ素にトラップされ、ヨウ素が樹脂被覆層１に含まれるパラジウムの位置に到達するのを防止することができる。ヨウ素がパラジウムの位置に到達した場合には、パラジウムとヨウ素の化学変化によりパラジウムの水素吸蔵性能が低下する。このため、光ファイバ５を有する水素センサの水素検知性能が低下する。本実施例では、水素センサ６Ａの最外層にフッ素を含む樹脂層４を形成しているので、樹脂被覆層１内のパラジウムの水素吸蔵性能の低下を防止することができ、水素センサ６よりもさらに精度良く水素濃度を検出することができる。
【００４８】
したがって、水素センサ６Ａを用いた水素濃度計測装置２１Ａは、水素センサ６Ａが水素およびヨウ素が存在する環境に配置された場合であっても、水素をより正確に検出することができる。最外周の樹脂層にフッ素を入れているために、この問題を解決することが可能になる。
【００４９】
水素センサ６Ａにおいて、パラジウムを含む樹脂被覆層１を被覆する、フッ素を含む樹脂層４は、樹脂被覆層１の表面を被覆するフッ素層である。樹脂層４以外のフッ素層としては、（ａ）樹脂被覆層１の表面に、直接、フッ素をコーティングして形成されたフッ素被膜、および（ｂ）樹脂被覆層１の表面を被覆した、パラジウム及びフッ素を含まない樹脂（例えば、ポリイミド）の層およびこの樹脂層の外面にフッ素をコーティングして形成されたフッ素被膜を含むフッ素層がある。
【実施例３】
【００５０】
本発明の他の実施例である実施例３の水素濃度計測装置を、図１１を用いて説明する。
【００５１】
本実施例の水素濃度計測装置２１Ｂは、実施例１の水素濃度計測装置２１において信号処理装置７を信号処理装置７Ａに替えた構成を有する。信号処理装置７Ａのコネクタ２２には水素センサ６が接続される。
【００５２】
信号処理装置７Ａは、前述の信号処理装置７において水素濃度変換部３１ａを水素濃度変換部３１ｃに替え、さらにスイッチ５２及び温度計測部５３を追加した構成を有する。信号処理装置７Ａの他の構成は信号処理装置７と同じである。
【００５３】
信号処理装置７Ａでは、スイッチ５２がコネクタ２２とミラー２３の間に配置され、温度計測部５３がスイッチ５２及び水素濃度変換部３１ｃに接続される。水素濃度変換部３１ｃは、波長シフト検出回路３０に接続されると共に、表示器３２に接続される。水素濃度変換部３１ｃは、さらに、ネットワーク４７を介して大画面可変情報表示装置４２に接続される。このような構成を有する信号処理装置７Ａは、ブリルアン散乱光を検出して水素吸蔵によって生じる歪み量に基づいて水素濃度を計測する第１計測部、およびラマン散乱光に代表される、温度によって強度や周波数（波長）が変化する光を検出して温度を測定する第２計測部を備えている。第１計測部は、光電変換器２７、サンプリング処理回路２９および波長シフト検出回路３０を有する。第２計測部は温度計測部５３を有する。光ファイバ５を通して戻ってきた光の入射先を、第１計測部にするか、または第２計測部にするか、の切り替えは、スイッチ５２によって行われる。スイッチ５２の切り替えはオペレータによって行われる。
【００５４】
信号処理装置７Ａにおいて、実施例１と同様に、ブリルアン散乱光を検出して水素吸蔵によって生じる歪み量に基づいて水素濃度を計測する場合には、スイッチ５２は、水素センサ６から戻ってきた光をミラー２３に入射するように切り替えられている。このとき、水素センサ６から戻ってきた光は温度計測部５３に入力されない。ミラー２３で反射された光は、実施例１で述べたように、光電変換器２７２７に入力されて電気信号に変換される。この電気信号がサンプリング処理回路２９に入力され、信号処理装置７Ａのサンプリング処理回路２９および波長シフト検出回路３０は、信号処理装置７のサンプリング処理回路２９および波長シフト検出回路３０と同様な処理を行い、水素検出位置信号および波長シフト量を出力する。
【００５５】
水素センサ６から戻ってきた光を温度計測部５３に入力するようにスイッチ５２を切り替えた場合には、その光は温度計測部５３に入力される。温度計測部５３は、入力された光に含まれている、ラマン散乱光に代表される、温度によって強度や周波数（波長）が変化する光を検出して温度を計測する。温度計測部５３で計測された温度は、この温度が生じている特定の場所の情報（位置情報）と対になっている。
【００５６】
波長シフト検出回路３０から出力された水素検出位置および波長シフト量の各情報、および温度計測部５３から出力された温度の情報が、水素濃度変換部３１ｃに入力される。水素濃度変換部３１ｃは、入力したそれらの情報を用いて水素濃度を求める。
【００５７】
水素センサ６の樹脂被覆層１に含まれるパラジウムは、温度によって水素吸蔵特性が大きく変化する。５００℃、６００℃となる環境下で水素センサ６が水素を検出する場合も想定できるため、信号処理装置７Ａの水素濃度変換部３１ｃでは、求めた水素濃度の温度補償を行う。水素センサ６の樹脂被覆層１に含まれるパラジウムの水素吸蔵特性は、温度によって変化する。このため、波長シフト検出回路３０から出力された波長シフト量に基づいて求められた水素濃度は、水素検出位置の温度に基づいて補正することにより、より正確な水素濃度を求めることができる。
【００５８】
本実施例では、温度とパラジウムの水素吸蔵特性の関係に基づいた波長シフト量の変化を対応付けた関係式またはテーブル情報、すなわち、温度とパラジウムの水素吸蔵特性の関係に基づいた水素濃度の変化を対応付けた関係式またはテーブル情報を、信号処理装置７Ａのメモリ（図示せず）に予め格納している。水素濃度変換部３１ｃは、実施例１における水素濃度変換部３１ａと同様に、波長シフト検出回路３０から入力した波長シフト量から水素濃度への換算を行って水素濃度を求める。水素濃度変換部３１ｃは、さらに、温度とパラジウムの水素吸蔵特性の関係に基づいた水素濃度の変化を対応付けた関係式またはテーブル情報を用いて、温度計測部５３から入力した温度に対応する水素濃度の変化情報を求め、この水素濃度の変化情報を用いて、波長シフト量に基づいて求めた水素濃度を補正する。補正された水素濃度が、水素濃度の真の値として、表示器３２及び大画面可変情報表示装置４２に表示される。
【００５９】
水素濃度変換部３１ｃは、波長シフト検出回路３０から入力した波長シフト量を、温度とパラジウムの水素吸蔵特性の関係に基づいた波長シフト量の変化を対応付けた関係式またはテーブル情報を用いて補正し、補正された波長シフト量を用いて水素濃度を求めても良い。このようにして求められた水素濃度は、実質的に、波長シフト量から求められた水素濃度を、温度とパラジウムの水素吸蔵特性の関係に基づいた水素濃度の変化を対応付けた関係式またはテーブル情報を用いて補正して得られた水素濃度と同じである。
【００６０】
本実施例は、実施例１で生じる各効果を得ることができる。さらに、本実施例は、温度情報を用いて波長シフト量に基づいて求めた水素濃度を補正するので、実施例１よりもよりより精度の高い水素濃度を得ることができる。
【００６１】
信号処理装置７Ａのコネクタ２２に水素センサ６の替りに水素センサ６Ａを接続しても良い。
【実施例４】
【００６２】
本発明の他の実施例である実施例４の水素濃度計測装置を、図１２および図１３を用いて説明する。
【００６３】
本実施例の水素濃度計測装置２１Ｃは、水素センサ６Ｃおよび信号処理装置７Ｂを備えている。水素センサ６Ｃは、光ファイバ５の外面に、樹脂層４Ａおよびパラジウムを含む樹脂被覆層１を交互に配した構成を有する。樹脂層４Ａは、フッ素及びパラジウムを含んでいないポリイミド（またはＵＶ硬化樹脂）の層である。回折格子部１５は、光ファイバ５のコア部に回折格子であるブラッグ格子を書き込むＦＢＧ（Fiber Bragg Grating）加工を施した部分である。この回折格子部１５と、ＦＢＧ加工が施されていない非回折格子部とが交互に配置されている。そして、この回折格子部１５に位置するクラッド３の外面に、パラジウムを含む樹脂被覆層１を施し、この非回折格子部に位置するクラッド３の外面に、フッ素及びパラジウムを含まない樹脂層４Ａを施すことにより、水素センサ６Ｃは構成される。
【００６４】
信号処理装置７Ｂは、ＦＢＧ歪み測定部１８、水素濃度変換器３１ｂおよび表示器３２を有する。ＦＢＧ歪み測定部１８は、コネクタ２２および水素濃度変換器３１ｂに接続される。水素濃度変換器３１ｂは、表示器３２、および大画面可変情報表示装置４２に接続されたネットワーク４７に接続されている。
【００６５】
信号処理装置７Ｂのコネクタ２２に接続された水素センサ６Ｃは、水素センサ６と同様に、原子炉建屋３４または原子炉格納容器３５内に配置される。
【００６６】
水素センサ６Ｃが配置された領域に水素が存在する場合には、樹脂被覆層１のパラジウムが水素を吸蔵して体積を変化させる。これにより、回折格子部１５の回折格子の間隔が変化し、光は回折格子部１５があるコア２の部分を通過する際に回折格子の間隔と屈折率で決まる特定の光だけがこのコア２の部分から反射される。このため、パラジウムの水素吸蔵度合いにより回折格子部１５が伸縮すると、回折格子部１５の回折格子の間隔が変化して反射する光の波長（または周波数）が変化する。回折格子部１５から反射された光は、信号処理装置７ＢのＦＢＧ歪み測定部１８に入力される。
【００６７】
ＦＢＧ歪み測定部１８は、入力した光の波長（または周波数）に基づいて、該当する回折格子部１５に生じた歪み量（回折格子部１５の伸縮度合い）を検出する。水素濃度変換器３１ｂは、ＦＢＧ歪み測定部１８から入力した、検出された歪み量に、換算演算処理を実施し、水素濃度を求める。この水素濃度は、表示器３２および大画面可変情報表示装置４２に表示される。
【００６８】
本実施例は、実施例１で生じる各効果を得ることができる。樹脂被覆層１が光ファイバ５の全長に亘って形成されていないので、水素センサ６Ｃは水素センサ６に比べたパラジウムの使用量を低減することができる。
【００６９】
実施例３の水素濃度計測装置２１Ｂに用いる信号処理装置７Ａと同様に、信号処理装置７Ｂにスイッチ５２及び温度計測部５３を設けても良い。
【００７０】
前述した実施例１〜４の各水素濃度計測装置は、沸騰水型原子力プラントだけでなく、加圧水型原子力プラント等の他のタイプの原子力プラントに適用することができる。さらに、それらの実施例は、水素スタンド建屋、および水素を燃料とする車両やロケット等に適用することができる。
【符号の説明】
【００７１】
１…樹脂被覆層、２…コア、３…クラッド、４…樹脂層、５…光ファイバ、６，６Ａ，６Ｃ…水素センサ、７，７Ａ，７Ｂ…信号処理装置、１８…ＦＢＧ歪み測定部、２１，２１Ａ，２１Ｂ…水素濃度計測装置、２４…光源、２５…駆動回路、２９…サンプリング処理回路、３０…波長シフト検出回路、３１ａ，３１ｂ，３１ｃ…水素濃度変換器、３４…原子炉建屋、３５…原子炉格納容器、３６…原子炉圧力容器、４０，４２…大画面可変情報表示装置、５２…スイッチ、５３…温度計測部。
【図１】
0005864272.tif 000002
【図２】
0005864272.tif 000003
【図３】
0005864272.tif 000004
【図４】
0005864272.tif 000005
【図５】
0005864272.tif 000006
【図６】
0005864272.tif 000007
【図７】
0005864272.tif 000008
【図８】
0005864272.tif 000009
【図９】
0005864272.tif 000010
【図１０】
0005864272.tif 000011
【図１１】
0005864272.tif 000012
【図１２】
0005864272.tif 000013
【図１３】
0005864272.tif 000014